(57)【要約】 実施形態による照明装置は、発光素子；及び、前記発光素子の上に配置され、前記発光素子から放出された光によって励起された励起光を放出する光励起部；を含み、前記光励起部は、黄色蛍光体、緑色蛍光体及び赤色蛍光体のうち少なくとも一つ以上を有し、前記光励起部は前記発光素子の上を移動し、前記光励起部の移動に伴い前記光励起部から放出される光の色温度が可変する。
2014526790.tif 000002
【特許請求の範囲】
【請求項１】
発光素子と、
前記発光素子の上に配置され、前記発光素子から放出された光によって励起された励起光を放出する光励起部と、
を含み、
前記光励起部は、黄色蛍光体、緑色蛍光体及び赤色蛍光体のうち少なくとも一つ以上を有し、
前記光励起部は前記発光素子の上を移動し、前記光励起部の移動に伴って前記光励起部から放出される光の色温度が可変する、照明装置。
【請求項２】
前記光励起部は複数の板を有し、
前記複数の板は、前記光励起部の移動に伴って前記発光素子の上に配置され、
前記複数の板は、前記黄色蛍光体、前記緑色蛍光体及び前記赤色蛍光体のうち少なくとも一つ以上を含み、
前記複数の板のそれぞれに含まれた前記黄色蛍光体、前記緑色蛍光体及び前記赤色蛍光体の含量比は、前記複数の板ごとに互いに異なる、請求項１に記載の照明装置。
【請求項３】
前記光励起部は一つの板であり、
前記光励起板は、一側から別の一側方向に行くほど厚さが減少又は増加する、請求項１に記載の照明装置。
【請求項４】
前記光励起部は複数の板を含み、
前記複数の光励起板のそれぞれの厚さは互いに異なる、請求項１に記載の照明装置。
【請求項５】
前記光励起部は、複数の孔を有する一つの板であり、
前記複数の孔の間の間隔は、前記板の一側から別の一側に行くほど狭くなるか、あるいは、広くなる、請求項１に記載の照明装置。
【請求項６】
前記光励起部は複数の板を含み、
前記複数の板のそれぞれは、複数の孔を有し、
前記複数の板のそれぞれに含まれた前記孔の個数は、互いに異なる、請求項１に記載の照明装置。
【請求項７】
前記発光素子が配置され、前記発光素子からの熱を放熱して、結合溝を有する本体部と、
前記光励起部が配置され、前記本体部の結合溝と結合する結合部を有して、前記本体部の結合溝に沿って回転するカバー部と、
を含む、請求項１ないし６のいずれか１項に記載の照明装置。
【請求項８】
前記発光素子を取り囲み、前記本体部と前記光励起部との間に配置された反射部をさらに含む、請求項７に記載の照明装置。
【請求項９】
前記本体部は、前記発光素子が配置されるリセスを有し、
前記リセスの側面は反射面である、請求項７に記載の照明装置。
【請求項１０】
前記発光素子は、第１軸上に配置され、
前記カバー部は、少なくとも２以上の孔を有し、前記第１軸と平行した第２軸を基準として回転する、請求項７に記載の照明装置。
【請求項１１】
本体部と、
前記本体部に配置された発光素子と、
前記発光素子の上に配置された拡散板と、
を含み、
前記本体部は、前記本体部の内部に配置されて前記発光素子の周囲を取り囲む反射層と、前記反射層と前記本体部との間に配置された蛍光層とを含み、
前記蛍光層は、少なくとも一つ以上の蛍光体を含む蛍光面を有し、
前記反射層は、前記蛍光面と対応する穿孔を有し、
前記蛍光層と前記反射層のうち少なくとも一つは回転し、前記蛍光層と前記反射層のうち少なくとも一つの回転に伴い、前記拡散板から放出される光の色温度が可変する、照明装置。
【請求項１２】
前記蛍光層と前記反射層のうち少なくとも一つは、前記本体部の中心軸を基準として回転する、請求項１１に記載の照明装置。
【請求項１３】
前記蛍光面と前記穿孔は複数であり、
前記複数の蛍光面は、所定の間隔離隔して配置され、
前記蛍光層と前記反射層のうち少なくとも一つの回転に伴い、前記穿孔を介して露出する前記蛍光面の面積が調節される、請求項１１に記載の照明装置。
【請求項１４】
前記蛍光面に含まれる蛍光体の含量比又は配合比は、前記蛍光面の一側から別の一側方向に行くほど変わる、請求項１１に記載の照明装置。
【請求項１５】
前記蛍光層の内側面は、光反射面を含む、請求項１１に記載の照明装置。
【請求項１６】
前記穿孔は複数であり、
前記複数の穿孔のうち、前記反射層の第１部分に形成された第１穿孔の個数と前記反射層の第２部分に形成された第２穿孔の個数は、互いに異なる、請求項１１に記載の照明装置。
【発明の詳細な説明】
【技術分野】
【０００１】
実施形態は、照明装置に関する。
【背景技術】
【０００２】
ＬＥＤは点灯時に熱が多く発生し、放熱が円滑になされない場合、ＬＥＤの寿命が短縮して照度が落ち、品質特性が顕著に低下する。照明装置の光源として白色発光素子パッケージの使用が増加しており、最近では、いわゆる感性照明という概念が登場した。これにより、色温度が高い涼しい白色（ｃｏｏｌ ｗｈｉｔｅ）系統と色温度が低い暖かい白色（ｗａｒｍ ｗｈｉｔｅ）系統の白色光源を、使用者の趣向及び用途に合わせて選択して使用したりもする。
【発明の概要】
【発明が解決しようとする課題】
【０００３】
実施形態の目的は、多様な光学的要求を満足させることができる照明装置を提供することにある。
【０００４】
また、実施形態の目的は、色温度の制御が可能な照明装置を提供することにある。
【０００５】
また、実施形態の目的は、放出される光の色温度を容易に調節できる照明装置を提供することにある。
【０００６】
また、実施形態の目的は、放出される光の演色指数を容易に調節できる照明装置を提供することにある。
【課題を解決するための手段】
【０００７】
実施形態による照明装置は、発光素子；及び、前記発光素子の上に配置され、前記発光素子から放出された光によって励起された励起光を放出する光励起部；を含み、前記光励起部は、黄色蛍光体、緑色蛍光体及び赤色蛍光体のうち少なくとも一つ以上を有し、前記光励起部は前記発光素子の上を移動し、前記光励起部の移動に伴って前記光励起部から放出される光の色温度が可変する。
【０００８】
ここで、前記光励起部は複数の板を有し、前記複数の板は、前記光励起部の移動に伴って前記発光素子の上に配置され、前記複数の板は、前記黄色蛍光体、前記緑色蛍光体及び前記赤色蛍光体のうち少なくとも一つ以上を含み、前記複数の板のそれぞれに含まれた前記黄色蛍光体、前記緑色蛍光体及び前記赤色蛍光体の含量比は、前記複数の板ごとに互いに異なり得る。
【０００９】
ここで、前記光励起部は一つの板であり、前記光励起板は、一側から別の一側方向に行くほど厚さが減少又は増加し得る。
【００１０】
ここで、前記光励起部は複数の板を含み、前記複数の光励起板のそれぞれの厚さは互いに異なり得る。
【００１１】
ここで、前記光励起部は、複数の孔を有する一つの板であり、前記複数の孔の間の間隔は、前記板の一側から別の一側に行くほど狭くなるか、あるいは、広くなり得る。
【００１２】
ここで、前記光励起部は複数の板を含み、前記複数の板のそれぞれは、複数の孔を有し、前記複数の板のそれぞれに含まれた前記孔の個数は、互いに異なり得る。
【００１３】
実施形態による照明装置は、前記発光素子が配置され、前記発光素子からの熱を放熱して、結合溝を有する本体部；及び、前記光励起部が配置され、前記本体部の結合溝と結合する結合部を有して、前記本体部の結合溝に沿って回転するカバー部；を含む。
【００１４】
ここで、前記発光素子を取り囲み、前記本体部と前記光励起部との間に配置された反射部をさらに含み得る。
【００１５】
ここで、前記本体部は、前記発光素子が配置されるリセスを有し、前記リセスの側面は反射面であり得る。
【００１６】
ここで、前記発光素子は、第１軸上に配置され、前記カバー部は、少なくとも２以上の孔を有し、前記第１軸と平行した第２軸を基準として回転し得る。
【００１７】
ここで、本体部；前記本体部に配置された発光素子；及び、前記発光素子の上に配置された拡散板；を含み、前記本体部は、前記本体部の内部に配置されて前記発光素子の周囲を取り囲む反射層、及び前記反射層と前記本体部との間に配置された蛍光層を含み、前記蛍光層は、少なくとも一つ以上の蛍光体を含む蛍光面を有し、前記反射層は、前記蛍光面と対応する穿孔を有し、前記蛍光層と前記反射層のうち少なくとも一つは回転し、前記蛍光層と前記反射層のうち少なくとも一つの回転に伴い、前記拡散板から放出される光の色温度が可変し得る。
【００１８】
ここで、前記蛍光層と前記反射層のうち少なくとも一つは、前記本体部の中心軸を基準として回転し得る。
【００１９】
ここで、前記蛍光面と前記穿孔は複数であり、前記複数の蛍光面は、所定の間隔離隔して配置され、前記蛍光層と前記反射層のうち少なくとも一つの回転に伴い、前記穿孔を介して露出する前記蛍光面の面積が調節され得る。
【００２０】
ここで、前記蛍光面に含まれる蛍光体の含量比又は配合比は、前記蛍光面の一側から別の一側方向に行くほど変わり得る。
【００２１】
ここで、前記蛍光層の内側面は、光反射面を含み得る。
【００２２】
ここで、前記穿孔は複数であり、前記複数の穿孔のうち、前記反射層の第１部分に形成された第１穿孔の個数と前記反射層の第２部分に形成された第２穿孔の個数は、互いに異なり得る。
【発明の効果】
【００２３】
実施形態による照明装置を使用すると、一つの照明装置で多様な光学的要求を満足させることができるという利点がある。
【００２４】
また、色温度を制御できるという利点がある。
【００２５】
また、放出される光の色温度を容易に調節できるという利点がある。
【００２６】
また、放出される光の演色指数を容易に調節できるという利点がある。
【図面の簡単な説明】
【００２７】
【図１】第１実施形態による照明装置の断面図である。
【図２】図１に示された照明装置を具体化した照明装置の斜視図である。
【図３】図２に示された照明装置の分解斜視図である。
【図４】図３に示された照明装置の本体部の変形例を示す斜視図である。
【図５】他の実施形態による照明装置の断面図ある。
【図６】図５に示された照明装置を具体化した照明装置の斜視図である。
【図７】さらに他の実施形態による照明装置の断面図である。
【図８】図７に示された照明装置を具体化した照明装置の斜視図である。
【図９】さらに他の実施形態による照明装置の斜視図である。
【図１０】図９に示された照明装置から拡散板を除いた場合の斜視図である。
【図１１】図１０に示された照明装置の断面図である。
【図１２】図１０に示された本体部の分解斜視図である。
【図１３】図１２に示された放射層の平面図である。
【図１４】他の実施形態による放射層の斜視図ある。
【図１５】さらに他の実施形態による放射層の斜視図である。
【図１６】図１２に示された蛍光層の平面図である。
【図１７】蛍光面が露出しないように反射層又は蛍光層が回転した場合を示した斜視図である。
【図１８】反射層の内側面の全体面積に対する露出した蛍光面の面積の比率に伴う色温度変移の実験結果を示した二次元グラフである。
【図１９】反射層の内側面の全体面積に対する露出した蛍光面の面積の比率に伴う光速変移の実験結果を示した二次元グラフである。
【発明を実施するための形態】
【００２８】
図面において各層の厚さや大きさは、説明の便宜及び明確性のために誇張されるか、省略されるか、又は概略的に示された。また、各構成要素の大きさは、実際の大きさを全面的に反映する訳ではない。
【００２９】
実施形態の説明において、いずれか一つのエレメント（ｅｌｅｍｅｎｔ）が他のエレメントの「上又は下（ｏｎ ｏｒ ｕｎｄｅｒ）」に形成されるものと記載される場合において、上又は下（ｏｎ ｏｒ ｕｎｄｅｒ）は、二つのエレメントが互いに直接（ｄｉｒｅｃｔｌｙ）接触するか、又は一つ以上の別のエレメントが前記二つのエレメントの間に配置されて（ｉｎｄｉｒｅｃｔｌｙ）形成されることを全て含む。また、「上又は下（ｏｎ ｏｒ ｕｎｄｅｒ）」と表現される場合、一つのエレメントを基準として上側方向だけではなく下側方向の意味も含まれる。
【００３０】
以下、添付された図面を参照して実施形態による照明装置を説明する。
【００３１】
図１は、実施形態による照明装置の断面図である。
【００３２】
図１を参照すると、実施形態による照明装置は、本体部１００、光源モジュール部３００、反射部５００及び光励起部７００を含み得る。以下、実施形態による照明装置に対し、各構成要素を中心として詳細に説明することにする。
【００３３】
本体部１００は所定の体積を有する。このような本体部１００は、実施形態による照明装置の主な外観を形成し得る。
【００３４】
本体部１００の一面に光源モジュール部３００が配置され得る。本体部１００は、光源モジュール部３００からの熱の伝達を受けて放出する放熱体であり得る。
【００３５】
本体部１００は、少なくとも一つ以上の放熱フィン１３０を有し得る。複数の放熱フィン１３０は、本体部１００の外面から外部に突出した形状を有し得る。放熱フィン１３０は、本体部１００の表面積を増加させて放熱効率を向上させる。放熱フィン１３０の個数を増やせば、本体部１００が空気と接触する面積が増えるので放熱効率が向上するが、反面、生産単価が上昇して構造的脆弱性を招きかねない短所がある。また、照明装置の電力容量により発熱量も変わることになるので、電力容量に伴う適切な放熱フィン１３０の個数を定める必要がある。
【００３６】
本体部１００は、熱放出効率に優れた金属材質又は樹脂材質で形成することができるが、これに限定はしない。例えば、本体部１００は、鉄（Ｆｅ）、アルミニウム（Ａｌ）、ニッケル（Ｎｉ）、銅（Ｃｕ）、銀（Ａｇ）、錫（Ｓｎ）、マグネシウム（Ｍｇ）などの材質であり、これらのうち少なくとも２以上を含む合金材質であり得る。炭素鋼、ステンレス材質も採用可能であり、熱伝導性に影響を与えない範囲内で表面に腐食防止コーティング又は絶縁コーティングを施すこともできる。
【００３７】
図面には示されていないが、本体部１００と光源モジュール部３００との間に放熱板（図示せず）を配置することができる。放熱板（図示せず）は、熱伝導率に優れた熱伝導シリコンパッド又は熱伝導テープであり得る。放熱板（図示せず）は、光源モジュール部３００からの熱を本体部１００に効果的に伝達することができる。
【００３８】
光源モジュール部３００は本体部１００に配置される。具体的に、光源モジュール部３００は、本体部１００の一面上に配置され得る。
【００３９】
光源モジュール部３００は、基板３１０と発光素子３３０を含み得る。
【００４０】
基板３１０は、一般的なＰＣＢ、金属コアＰＣＢ（ＭＣＰＣＢ）、標準型ＦＲ−４ ＰＣＢ又はフレキシブルＰＣＢのいずれか一つであり得る。
【００４１】
基板３１０は、本体部１００と直接接触し得る。具体的に、基板３１０は、本体部１００の一面と接触し得る。
【００４２】
基板３１０の上には発光素子３３０が配置される。
【００４３】
基板３１０には、発光素子３３０からの光を容易に反射するために、光反射物質がコーティング又は蒸着され得る。
【００４４】
基板３１０は、構造的な目的上、及び／又は、本体部１００への熱伝達を向上させるために、選択的に放熱テープ又は放熱パッドなどを有し得る。
【００４５】
発光素子３３０は、基板３１０の上に一つ又は複数で配置され得る。複数の発光素子３３０は、同じ波長の光を放出することができ、互いに異なる波長の光を放出することができる。また、複数の発光素子３３０は、同じ色相の光を放出することができる。
【００４６】
発光素子３３０は、青色光を放出する青色発光素子、緑色光を放出する緑色発光素子、赤色光を放出する赤色発光素子、及び白色光を放出する白色発光素子のいずれか一つであり得る。
【００４７】
発光素子３３０が青色発光素子である場合、光源モジュール部３００は、青色発光素子３３０の上に配置されるモールディング部（図示せず）をさらに含み得る。モールディング部（図示せず）は、青色発光素子を覆いながら基板３１０の上に配置され得る。モールディング部（図示せず）は蛍光体を有し得る。ここで、モールディング部（図示せず）に含まれる蛍光体は、黄色蛍光体、緑色蛍光体及び赤色蛍光体のうち一つであり得る。
【００４８】
発光素子３３０は、発光ダイオード（ＬＥＤ）チップ（ｃｈｉｐ）であり得る。ＬＥＤチップは、可視光スペクトルの青色光を放出する青色ＬＥＤチップ、緑色光を放出する緑色ＬＥＤチップ、及び赤色光を放出する赤色ＬＥＤチップのいずれか一つであり得る。ここで、青色ＬＥＤチップは、約４３０ｎｍから４８０ｎｍの範囲で主波長を有し、緑色ＬＥＤチップは、約５１０ｎｍから５３５ｎｍの範囲で主波長を有し、赤色ＬＥＤチップは約６００ｎｍから６３０ｎｍの範囲で主波長を有する。
【００４９】
反射部５００は、光源モジュール部３００からの光を反射する。
【００５０】
反射部５００は光源モジュール部３００を取り囲み、光源モジュール部３００からの光を光励起部７００に反射する。
【００５１】
反射部５００は、光源モジュール部３００からの光を光励起部７００の特定部分にのみ集中させることができる。例えば、図１に示されたように、反射部５００の上端部が光励起部７００の第２板７２０を含むことによって、反射部５００は光源モジュール部３００からの光を光励起部７００の第２板７２０に集中させることができる。
【００５２】
反射部５００は、光源モジュール部３００からの光を反射する反射面であり得る。前記反射面は、基板３１０と実質的に垂直をなしてもよく、基板３１０の上面と鈍角をなしてもよい。前記反射面は、光を容易に反射することができる材料で、コーティング又は蒸着され得る。
【００５３】
光励起部７００は、光源モジュール部３００の発光素子３３０から放出された光に励起された励起光を生成することができる。光励起部７００で生成された励起光と発光素子３３０から放出された光とが混合し、多様な色温度を有する白色光を具現することができる。
【００５４】
光励起部７００は、所定の厚さを有する光励起板であり得る。
【００５５】
光励起板７００は、反射部５００の上に配置され、光源モジュール部３００から所定間隔離隔する。光励起板７００は、光源モジュール部３００から所定間隔離隔して配置されるために、反射部５００の上端部に配置され得る。
【００５６】
光励起板７００、反射部５００、及び本体部１００により、ミキシング空間（ｍｉｘｉｎｇ ｚｏｎｅ）６００が形成され得る。ミキシング空間６００は、光源モジュール部３００から放出される光、又は、光源モジュール部３００から放出されて反射部５００で反射した光がミキシングされる空間を意味する。
【００５７】
光励起板７００は、黄色蛍光体、緑色蛍光体及び赤色蛍光体のうち少なくとも一つ以上を含み得る。前記黄色蛍光体は、青色光（４３０ｎｍ〜４８０ｎｍ）に応答して５４０ｎｍから５８５ｎｍの範囲で主波長を有する光を放出する。前記緑色蛍光体は、青色光（４３０ｎｍ〜４８０ｎｍ）に応答して５１０ｎｍから５３５ｎｍの範囲で主波長を有する光を放出する。前記赤色蛍光体は、青色光（４３０ｎｍ〜４８０ｎｍ）に応答して６００ｎｍから６５０ｎｍの範囲で主波長を有する光を放出する。前記黄色蛍光体は、シリケート系、又は、ＹＡＧ系の蛍光体であり、前記緑色蛍光体は、シリケート系、ナイトライド系、又は、サルファイド系蛍光体であり、前記赤色蛍光体は、ナイトライド系、又は、サルファイド系蛍光体であり得る。
【００５８】
光励起板７００は、光源モジュール部３００の発光素子３３０の上に固定されず、発光素子３３０の上を移動することができる。光励起板７００の移動に伴い、発光素子３３０からの光は、光励起板７００の様々な板７１０，７２０，７３０，７４０のいずれか一つの板に照射され得る。
【００５９】
光励起板７００は、互いに異なる複数の板７１０，７２０，７３０，７４０を有し得る。例えば、光励起板７００は、第１ないし第４板７１０，７２０，７３０，７４０を有し得る。
【００６０】
光源モジュール部３００の発光素子３１０によって、複数の板７１０，７２０，７３０，７４０に含まれる蛍光体の種類と量が異なり得る。以下、具体的な例を挙げて説明することにする。
【００６１】
光源モジュール部３００の発光素子３１０が青色発光素子である場合、第１ないし第４板７１０，７２０，７３０，７４０は黄色、緑色及び赤色蛍光体を有し、第１ないし第４板７１０，７２０，７３０，７４０のそれぞれに含まれた黄色、緑色及び赤色蛍光体の含量比は互いに異なり得る。第１板７１０の黄色、緑色及び赤色蛍光体の含量比、第２板７２０の黄色、緑色及び赤色蛍光体の含量比、第３板７３０の黄色、緑色及び赤色蛍光体の含量比、及び第４板７４０の黄色、緑色及び赤色蛍光体の含量比が互いに異なるので、第１ないし第４板７１０，７２０，７３０，７４０のそれぞれから放出される光の色温度は互いに異なり得る。
【００６２】
また、光源モジュール部３００の発光素子３１０が青色発光素子である場合、第１板７１０は黄色蛍光体を有し、第２板７２０は黄色蛍光体と緑色蛍光体を有し、第３板７３０は黄色蛍光体と赤色蛍光体を有し、第４板７４０は黄色蛍光体、緑色蛍光体及び赤色蛍光体を有し得る。したがって、第１ないし第４板７１０，７２０，７３０，７４０のそれぞれから放出される光の色温度が互いに異なり得る。
【００６３】
また、光源モジュール部３００が、青色発光素子３１０と青色発光素子３１０を覆って黄色蛍光体を有するモールディング部（図示せず）である場合、第１板７１０は緑色蛍光体を有し、第２板７２０は赤色蛍光体を有し、第３板７３０は緑色蛍光体と赤色蛍光体を有し得る。第４板７４０は緑色蛍光体と赤色蛍光体を有するが、第３板７３０の緑色蛍光体と赤色蛍光体の含量比と異なる含量比を有し得る。それだけでなく、第４板７４０は第１板７１０のように緑色蛍光体を有し得る。
【００６４】
また、光源モジュール部３００が、青色発光素子３１０と青色発光素子３１０を覆って緑色蛍光体を有するモールディング部（図示せず）である場合、第１板７１０は黄色蛍光体を有し、第２板７２０は赤色蛍光体を有し、第３板７３０は黄色蛍光体と赤色蛍光体を有し得る。第４板７４０は黄色蛍光体と赤色蛍光体を有するが、第３板７３０の黄色蛍光体と赤色蛍光体の含量比と異なる含量比を有し得る。それだけでなく、第４板７４０は第１板７１０のように黄色蛍光体を有し得る。
【００６５】
また、光源モジュール部３００が、青色発光素子３１０と青色発光素子３１０を覆って赤色蛍光体を有するモールディング部（図示せず）である場合、第１板７１０は黄色蛍光体を有し、第２板７２０は緑色蛍光体を有し、第３板７３０は黄色蛍光体と緑色蛍光体を有し得る。第４板７４０は黄色蛍光体と緑色蛍光体を有するが、第３板７３０の黄色蛍光体と緑色蛍光体の含量比と異なる含量比を有し得る。それだけでなく、第４板７４０は第１板７１０のように黄色蛍光体を有し得る。
【００６６】
実施形態において、上の組み合わせに限定される訳ではない。以上で説明した組み合わせ以外に数多くの組み合わせがあり得る。
【００６７】
図２は、図１に示された照明装置を具体化した照明装置の斜視図であり、図３は、図２に示された照明装置の分解斜視図である。
【００６８】
図２及び図３を参照すると、実施形態による照明装置は、本体部１００、駆動部２００、光源モジュール部３００、反射部５００、光励起部７００及びカバー部８００を含み得る。
【００６９】
図２及び図３に示された本体部１００、光源モジュール部３００、反射部５００、及び光励起部７００は、図１に示された本体部１００、光源モジュール部３００、反射部５００、及び光励起部７００と対応する。
【００７０】
もう少し具体的に、図２及び図３に示された本体部１００は、本体１１０、放熱フィン１３０、及び結合溝１５０を含み得る。
【００７１】
本体１１０は円筒形状を有し得る。本体１１０は、光源モジュール部３００と駆動部２００を電気的に連結する配線が貫通する貫通孔を有し得る。また、図面に示さなかったが、本体１１０は駆動部２００を収納する収納溝を有してもよい。
【００７２】
放熱フィン１３０は、本体１１０の側面である円筒面に複数に配置され、本体１１０の上下方向に所定の長さを有し得る。放熱フィン１３０は本体１１０に連結されたものであってもよく、本体１１０と一体であってもよい。
【００７３】
結合溝１５０は、本体１１０の一側に配置され得る。具体的に、結合溝１５０は、カバー部８００と結合する本体１１０の上部に配置され得る。結合溝１５０は、図３に示されたようにスクリュー溝であり得る。結合溝１５０はカバー部８００と結合する。結合溝１５０により、カバー部８００は本体部１００に回転結合することができ、カバー部８００は回転移動することができる。カバー部８００の回転移動は、光励起部７００の移動の原因となる。
【００７４】
光源モジュール部３００は、本体部１００に配置される。具体的に、光源モジュール部３００は、本体１１０の一面１１０ａに配置され得る。ここで、本体１１０の一面１１０ａは平らな面であってもよく、所定の曲面であってもよい。
【００７５】
光源モジュール部３００は、第１軸上に配置され得る。第１軸は、本体部１００の一面１１０ａと垂直の仮想の軸であり得る。ここで、前記第１軸は、一面１１０ａの中心軸と平行した軸であり得る。
【００７６】
光源モジュール部３００は、本体１１０の一面１１０ａに配置された基板３１０と、基板３１０に配置された発光素子３３０を含む。ここで、光源モジュール部３００は、発光素子３３０の上に配置されるモールディング部（図示せず）をさらに含み得る。モールディング部（図示せず）は発光素子３３０を覆って蛍光体を有し得る。
【００７７】
図２及び図３において、一つの発光素子３３０が示されているが、これに限定される訳ではなく、複数の発光素子３３０を基板３１０に配置することができる。
【００７８】
反射部５００は、光源モジュール部３００を取り囲み、本体１１０の一面１１０ａの上に配置され得る。反射部５００の下端部は、本体１１０の一面１１０ａに配置されるか、あるいは、基板３１０の上に配置され得る。反射部５００の上端部は、光励起板７００の複数の板７１０，７２０，７３０，７４０のいずれか一つの板と対応するように配置され得る。
【００７９】
一方、反射部５００は反射面であり得る。図４を参照して具体的に説明することにする。
【００８０】
図４は、図３に示された照明装置の本体部１００の変形例を示す斜視図である。
【００８１】
図４を参照すると、本体１１０の一面１１０ａはリセス（ｒｅｃｅｓｓ）１１０ａ−１を有する。リセス１１０ａ−１は、一面１１０ａから内部方向に所定の深さを有する溝であり得る。
【００８２】
リセス１１０ａ−１は、底面と側面で定義することができる。リセス１１０ａ−１の底面には光源モジュール部３００が配置される。
【００８３】
リセス１１０ａ−１の側面上には、光源モジュール部３００からの光を反射できる材質で蒸着又はコーティングされた反射面５００’が配置され得る。
【００８４】
再び図２及び図３を参照すると、光励起板７００は、光源モジュール部３００の上に配置される。具体的に、光励起板７００はカバー部８００に配置され、カバー部８００と本体部１００の結合によって、光励起板７００は光源モジュール部３００の上に配置され得る。
【００８５】
光励起板７００は、複数の板７１０，７２０，７３０，７４０を含み得る。複数の板７１０，７２０，７３０，７４０は、カバー部８００に配置され得る。
【００８６】
複数の板７１０，７２０，７３０，７４０は、互いに離隔して配置することができるだけでなく、図１に示されたように、互いに連結して配置することができる。
【００８７】
複数の板７１０，７２０，７３０，７４０は、先に説明したように、所定の蛍光体を有する。具体的な説明は先に説明した内容に代える。
【００８８】
複数の板７１０，７２０，７３０，７４０のそれぞれは、光源モジュール部３００の発光素子３３０と一対一に対応する。これは、カバー部８００の動きによって制御することができる。例えば、カバー部８００の回転によって、光源モジュール部３００は複数の板７１０，７２０，７３０，７４０のいずれか一つの板と対応し得る。
【００８９】
カバー部８００は本体部１００と結合する。具体的に、カバー部８００は、本体部１００の結合溝１５０と結合することができる結合部（図示せず）を有する。結合部（図示せず）は、結合溝１５０に回転を通じて結合することができる。カバー部８００と本体部１００の結合によって、カバー部８００は本体１１０の一面１１０ａを覆うことができる。
【００９０】
カバー部８００は、第２軸を基準として回転することができる。ここで、第２軸は、光源モジュール部３００が配置された第１軸と平行した軸であり得る。また、第２軸は、本体部１００の一面１１０ａの中心軸であり得る。
【００９１】
カバー部８００には光励起部７００が配置される。具体的に、カバー部８００は、光励起部７００の複数の板７１０，７２０，７３０，７４０のそれぞれを配置することができる孔を有し得る。
【００９２】
駆動部２００は、本体部１００の別の一側に配置され得る。
【００９３】
駆動部２００は、本体部１００の貫通孔を通過する配線によって光源モジュール部３００と電気的に連結することができる。
【００９４】
駆動部２００は、外部からの電源を光源モジュール部３００に供給する機能を遂行する。
【００９５】
駆動部２００は、内部に電源制御のための多数の部品を含むことができ、多数の部品は、例えば、外部電源から提供される交流電源を直流電源に変換する直流変換装置、光源モジュール部３００の駆動を制御する駆動チップ、光源モジュール部３００を保護するためのＥＳＤ（Ｅｌｅｃｔｒｏ Ｓｔａｔｉｃ Ｄｉｓｃｈａｒｇｅ）保護素子などを含み得る。
【００９６】
駆動部２００はソケット部２５０を介して外部電源と連結され、外部電源から電源の供給を受けることができる。
【００９７】
図１ないし図４に示された照明装置は、多様な光学的要求を満足させることができる。これは、図１ないし図４に示された照明装置の光励起部７００によるものである。具体的に、実施形態による照明装置は、光励起部７００の制御を通じて、多様な色温度を有する光を放出することができる。
【００９８】
図５は、他の実施形態による照明装置の断面図である。
【００９９】
図５に示された他の実施形態による照明装置を説明するにあたって、図１に示された照明装置と同一の部分は同一の図面番号を使用し、この説明は省略する。
【０１００】
図５を参照すると、他の実施形態による照明装置は、本体部１００、光源モジュール部３００、反射部５００、及び光励起部７００’を含み得る。本体部１００、光源モジュール部３００、及び反射部５００は、先の図１の説明に代えることにする。
【０１０１】
光励起部７００’は、図１に示された光励起部７００と異なる。以下、具体的に説明することにする。
【０１０２】
光励起部７００’は、板形状を有する光励起板であり得る。
【０１０３】
光励起板７００’は、所定の厚さを有するが、前記厚さが一定ではない。すなわち、光励起板７００’の厚さは、一方向に行くほど薄くなるか、あるいは、厚くなる。
【０１０４】
光励起板７００’は蛍光体を有する。具体的に、光励起板７００’は、黄色、緑色及び赤色蛍光体のいずれか一つ以上を有し得る。すなわち、光励起板７００’は、黄色蛍光体のみを有していてもよく、黄色蛍光体と緑色蛍光体を有していてもよく、黄色蛍光体、緑色蛍光体及び赤色蛍光体を有していてもよい。
【０１０５】
光励起板７００’は、一方向に行くほど厚さが薄くなるか、あるいは、厚くなるので、厚さが薄い部分よりも厚さが厚い部分に蛍光体がさらに多く含まれている。
【０１０６】
光励起板７００’は固定されて設置されず、図１に示された光励起部７００のように、発光素子３３０の上を移動することができる。
【０１０７】
図５に示された照明装置は、図２ないし図４に示された照明装置に適用することができる。図６を参照して説明することにする。
【０１０８】
図６は、図５に示された照明装置を具体化した照明装置の斜視図である。
【０１０９】
図６を参照すると、図５に示された光励起板７００’は、厚さが互いに異なる複数の板７１０’，７２０’，７３０’，７４０’を含み得る。
【０１１０】
複数の板７１０’，７２０’，７３０’，７４０’のそれぞれは、厚さが一定であってもよく、図５に示された光励起板７００’のように厚さが一定でなくてもよい。すなわち、一方向に厚さが厚くなるか、あるいは、薄くなり得る。
【０１１１】
複数の板７１０’，７２０’，７３０’，７４０’はカバー部８００に配置され、カバー部８００の回転に伴って発光素子３３０の上を移動することができる。
【０１１２】
図５及び図６に示された照明装置は、多様な光学的要求を満足させることができる。これは、図５及び図６に示された照明装置の光励起部７００’によるものであり得る。具体的に、実施形態による照明装置は、光励起部７００’の制御を通じて、多様な色温度を有する光を放出することができる。
【０１１３】
図７は、さらに他の実施形態による照明装置の断面図である。
【０１１４】
図７に示されたさらに他の実施形態による照明装置を説明するにあたって、図１に示された照明装置と同一の部分は同一の図面番号を使用し、この説明は省略する。
【０１１５】
図７を参照すると、さらに他の実施形態による照明装置は、本体部１００、光源モジュール部３００、反射部５００、及び光励起部７００’’を含み得る。本体部１００、光源モジュール部３００、及び反射部５００は、先の図１の説明に代えることにする。
【０１１６】
光励起部７００’’は、図１に示された光励起部７００と異なる。以下、具体的に説明することにする。
【０１１７】
光励起部７００’’は、板形状を有する光励起板であり得る。
【０１１８】
光励起板７００’’は所定の厚さを有する。ここで、厚さは、図面に示されたように一定であってもよく、図５に示されたように一定でなくてもよい。厚さが一定でない場合、光励起板７００’’の厚さは一方向に行くほど薄くなるか、あるいは、厚くなる。
【０１１９】
光励起板７００’’は蛍光体を有する。具体的に、光励起板７００’’は、黄色、緑色及び赤色蛍光体のいずれか一つ以上を含む。すなわち、光励起板７００’’は、黄色蛍光体のみを有していてもよく、黄色蛍光体と緑色蛍光体を有していてもよく、黄色蛍光体、緑色蛍光体及び赤色蛍光体を有していてもよい。
【０１２０】
光励起板７００’’は、孔ｈを有する。孔ｈは、光励起板７００’’を貫通し、孔ｈの直径は１ｍｍ（ミリメートル）以下であり得る。ここで、孔ｈの直径が１ｍｍより大きければ、励起率が落ちるという問題点があり得る。
【０１２１】
光励起板７００’’は、複数の孔ｈを有する。複数の孔ｈは光励起板７００’’に均一に配置されず、非均一に配置され得る。具体的に、複数の孔ｈの間の間隔は、光励起板７００’’の一側から別の一側に行くほど狭くなるか、あるいは、広くなり得る。又は、複数の孔ｈは、光励起板７００’’の一側から別の一側に行くほど量が多くなるように配置されるか、あるいは、量が少なくなるように配置され得る。
【０１２２】
光励起板７００’’は固定して設置されず、図１に示された光励起部７００のように、発光素子３３０の上を移動することができる。
【０１２３】
図７に示された照明装置は、図２ないし図４に示された照明装置に適用することができる。図８を参照して説明することにする。
【０１２４】
図８は、図７に示された照明装置を具体化した照明装置の斜視図である。
【０１２５】
図８に示された照明装置が図２ないし図４に示された照明装置に適用される場合、光励起板７００’’は複数の板７１０’’，７２０’’，７３０’’，７４０’’を含み得る。
【０１２６】
複数の板７１０’’，７２０’’，７３０’’，７４０’’のそれぞれは、複数の孔ｈを有する。
【０１２７】
複数の板７１０’’，７２０’’，７３０’’，７４０’’のそれぞれに含まれた孔ｈの数は互いに異なる。例えば、第１板７１０’’の孔ｈの数は第２板７２０’’の孔ｈの数より少なく、第２板７２０’’の孔ｈの数は第３板７３０’’の孔ｈの数より少なく、第３板７３０’’の孔ｈの数は第４板７４０’’の孔ｈの数より少ない。
【０１２８】
複数の板７１０’’，７２０’’，７３０’’，７４０’’のそれぞれにおいて、複数の孔ｈは均一又は非均一に配置され得る。
【０１２９】
複数の板７１０’’，７２０’’，７３０’’，７４０’’はカバー部８００に配置され、カバー部８００の回転に伴って発光素子３３０の上を移動することができる。
【０１３０】
図７及び図８に示された照明装置は、多様な光学的要求を満足させることができる。これは、図７及び図８に示された照明装置の光励起部７００’’によるものであり得る。具体的に、実施形態による照明装置は、光励起部７００’’の制御を通じて、多様な色温度を有する光を放出することができる。
【０１３１】
図９は、さらに他の実施形態による照明装置の斜視図であり、図１０は、図９に示された照明装置から拡散板１５００を除いた場合の斜視図であり、図１１は、図１０に示された照明装置の断面図である。
【０１３２】
図９ないし図１１を参照すると、さらに他の実施形態による照明装置は、本体部１０００、本体部１０００の内部下面の上に配置される光源モジュール部１４００、光源モジュール部１４００から所定間隔離隔して配置される拡散板１５００、光源モジュール部１４００に外部電源を伝達するワイヤー１６００を含み得る。
【０１３３】
本体部１０００は所定の体積を有する。本体部１０００は、さらに他の実施形態による照明装置の主な外観を形成することができる。本体部１０００は、図１０及び図１１に示されたように、外郭層１１００、蛍光層１２００、及び反射層１３００を含み得る。それぞれに対しては、後述することにする。
【０１３４】
本体部１０００は、光源モジュール部１４００からの熱の伝達を受けて放出する放熱体であり得る。図面には示されてはいないが、本体部１０００と光源モジュール部１４００との間に放熱板（図示せず）が配置され得る。放熱板（図示せず）は、熱伝導率に優れた熱伝導シリコンパッド又は熱伝導テープであり得る。放熱板（図示せず）は、光源モジュール部１４００からの熱を本体部１０００に効果的に伝達することができる。
【０１３５】
光源モジュール部１４００は、本体部１０００の内部下面の上に配置され得る。光源モジュール部１４００は、基板と基板上に配置される発光素子とを含み得る。光源モジュール部１４００は、図１に示された光源モジュール部３００と同一なので、これに対する具体的な説明は省略することにする。
【０１３６】
拡散板１５００は、光源モジュール部１４００から所定間隔離隔して配置され得る。具体的に、拡散板１５００は、本体部１０００の内側上端部に拡散板１５００が配置され得る。
【０１３７】
拡散板１５００は、図９に示されたように、本体部１０００の内側上端部に配置されて、本体部１０００の開口部に配置され得る。また、拡散板１５００は、一面が本体部１０００の内部下面に配置された光源モジュール部１４００に向かい、反対面が本体部１０００の開口部を介して外部に露出するように配置され得る。
【０１３８】
拡散板１５００が光源モジュール部１４００から所定間隔離隔して配置されれば、拡散板１５００及び本体部１０００によってミキシング空間（ｍｉｘｉｎｇ ｓｐａｃｅ）を形成することができる。ミキシング空間では、光源モジュール１４００から放出される光、又は、光源モジュール部１４００から放出されて本体部１０００の内側面で反射した光が混合し得る。ミキシング空間は、目的及び用途によって様々な物質で満たされ得る。ミキシング空間は、例えば、空気で満たされ得る。
【０１３９】
拡散板１５００は、樹脂材質及びシリコン材質のうち少なくとも一つで形成され得る。拡散板１５００は、そのうちのシリコン樹脂（ｓｉｌｉｃｏｎｅ ｒｅｓｉｎ）からなり得る。
【０１４０】
拡散板１５００は、入射される光を散乱させて拡散させることができる。拡散板１５００は拡散剤を含み得る。拡散剤の例としては、酸化シリコン（ＳｉＯ２）、酸化チタニウム（ＴｉＯ２）、酸化亜鉛（ＺｎＯ）、硫酸バリウム（ＢａＳＯ４）、炭酸カルシウム（ＣａＳＯ４）、炭酸マグネシウム（ＭｇＣＯ３）、水酸化アルミニウム（Ａｌ（ＯＨ）３）、合成シリカ、ガラスビーズ、ダイヤモンドのうち少なくとも一つであり得るが、これに限定されない。
【０１４１】
ワイヤー１６００は、光源モジュール部１４００と電気的に連結され、光源モジュール部１４００に外部電源を伝達することができる。本体部１０００は、ワイヤー１６００が貫通するための穴を有し得る。
【０１４２】
以下では、添付された図面を参照して、本体部１０００に対して詳細に説明することにする。
【０１４３】
図１１は、図１０に示された照明装置の断面図であり、図１２は、図１０に示された本体部１０００の分解斜視図である。
【０１４４】
図１１及び図１２を参照すると、本体部１０００は、外郭層１１００、外郭層１１００と本体部１０００の内部との間に配置される蛍光層１２００、及び蛍光層１２００と本体部１０００の内部との間に配置される反射層１３００を含み得る。言い換えれば、本体部１０００は、外郭層１１００、外郭層１１００の内側に配置される蛍光層１２００、蛍光層１２００の内側に配置される反射層１３００を含み得る。
【０１４５】
外郭層１１００は、本体部１０００の最も外側に位置し得る。図１１及び図１２を参照すると、外郭層１１００は、上端部に開口部を有し得る。外郭層１１００は、さらに他の実施形態による照明装置の主な外観を形成することができ、さらに他の実施形態による照明装置の内部を保護する役割をすることができる。また、外郭層１１００は、光源モジュール部１４００から放出される熱の伝達を受けて、外部に放出する役割をすることができる。
【０１４６】
外郭層１１００は、熱放出効率に優れた金属材質、又は、樹脂材質で形成され得るが、これに限定されない。例えば、外郭層１１００は、鉄（Ｆｅ）、アルミニウム（Ａｌ）、ニッケル（Ｎｉ）、銅（Ｃｕ）、銀（Ａｇ）、錫（Ｓｎ）、マグネシウム（Ｍｇ）などの材質で形成され、これらのうち少なくとも一つ以上を含む合金材質で製作され得る。炭素鋼、ステンレス材質も採用可能であり、熱伝導性に影響を与えない範囲内で、表面に腐食防止コーティング又は絶縁コーティングを施すこともできる。
【０１４７】
反射層１３００は、本体部１０００の最も内側に位置し得る。図１１及び図１２を参照すると、反射層１３００は、上端部と下端部にそれぞれ開口部を有し得る。
【０１４８】
反射層１３００は、光源モジュール部１４００から放出されて入射する光を反射させることができる。反射層１３００は光源モジュール１４００を取り囲み、光源モジュール部１４００から放出される光を拡散板１５００に容易に反射させることができる。反射層１３００から光源モジュール部１４００に向かう面には、光源モジュール部１４００から放出される光を容易に反射するために、光反射物質がコーティング又は蒸着され得る。ここで、反射層１３００の表面の反射率は、７０％以上となるようにすることができる。
【０１４９】
反射層１３００は、図１１及び図１２に示されたように、断面が光源モジュール部１４００の基板と鈍角をなし得る。また、反射層１３００の断面が光源モジュール１４００の基板と実質的に垂直をなしてもよい。
【０１５０】
図１３は、図１２に示された反射層１３００の平面図である。図１２及び図１３に示されたように、反射層１３００の少なくとも一部には、反射層１３００を貫通する穿孔１３５０が形成され得る。
【０１５１】
穿孔１３５０は、図１２及び図１３に示されたように、四角形の形状を有し得る。これは一つの例示であって、穿孔１３５０の形状は場合によって様々に変形が可能であり、四角形に限定される訳ではない。例えば、図１４でのように、穿孔１３５０’は円形であり得る。また、例えば、図１５でのように、穿孔１３５０’’は多数の小さい円形穿孔であってもよく、反射層１３００の部分によって単位面積当たりの穿孔１３５０’’の個数が異なり得る。具体的に、複数の穿孔のうち、反射層１３００の一部分（第１部分）に形成された第１穿孔の個数と反射層１３００の他の一部分（第２部分）に形成された第２穿孔の個数とは、互いに異なり得る。
【０１５２】
再び図１１及び図１２を参照すると、穿孔１３５０は４つに分離されて形成され得る。これは一つの例示であって、穿孔１３５０の個数は場合によって様々に変形が可能である。
【０１５３】
また、穿孔１３５０は、図１２に示されたように、穿孔１３５０の最大直径は、隣り合う二つの穿孔１３５０の間の距離とほとんど同じであり得る。これは一つの例示であって、反射層１３００の内側面の全体面積に対する穿孔１３５０の面積の比率は、場合によって様々に変形が可能である。
【０１５４】
また、穿孔１３５０は、図１２に示されたように、左右対称及び上下対称に形成され得る。これは一つの例示であって、穿孔１３５０は、場合によって偏向するように形成され得る。ただし、図１２に示されたように、穿孔１３５０が対称的に形成されれば、さらに他の実施形態による照明装置から放出される光が均等に見える。
【０１５５】
図１１及び図１２に示されたように、反射層１３００の一部に穿孔１３５０が形成されれば、前記穿孔１３５０を介して反射層１３００の外側面に配置される蛍光層１２００の一部が、光源モジュール部１４００から放出される光に露出され得る。
【０１５６】
蛍光層１２００は外郭層１１００の内側に配置され、反射層１３００の外側に配置され得る。図１１及び図１２を参照すると、蛍光層１２００は、上端部と下端部に開口部を有し得る。
【０１５７】
図１１及び図１２に示されたように、蛍光層１２００の断面は、光源モジュール部１４００の基板と鈍角をなし得る。また、蛍光層１２００の断面は、光源モジュール部１４００の基板と実質的に垂直をなしてもよい。
【０１５８】
図１６は、図１２に示された蛍光層１２００の平面図である。図１２及び図１６に示されたように、蛍光層１２００の内側面の一部には、蛍光面１２５０が配置され得る。
【０１５９】
蛍光面１２５０は、コーティング方式を利用して形成されるか、あるいは、フィルム形態として付着され得る。
【０１６０】
蛍光面１２５０は、少なくとも一つ以上の蛍光体を含み得る。蛍光体は入射された光を励起させて、特定波長帯に変換された波長を有する光を放出することができる。
【０１６１】
具体的に、蛍光面１２５０は、黄色蛍光体、緑色蛍光体及び赤色蛍光体のうち少なくとも一つ以上を含み得るが、前記蛍光体の種類に限定されない。蛍光面１２５０に含まれる蛍光体の種類、種類の個数及び量は、場合によって様々に変形が可能である。黄色蛍光体は、青色光（４３０ｎｍ〜４８０ｎｍ）に応答して５４０ｎｍないし５８５ｎｍの範囲で主波長を有する光を放出する。前記緑色蛍光体は、青色光（４３０ｎｍ〜４８０ｎｍ）に応答して５１０ｎｍないし５３５ｎｍの範囲で主波長を有する光を放出する。前記赤色蛍光体は、青色光（４３０ｎｍ〜４８０ｎｍ）に応答して６００ｎｍないし６５０ｎｍの範囲で主波長を有する光を放出する。黄色蛍光体は、シリケート系又はＹＡＧ系の蛍光体であり得る。緑色蛍光体は、シリケート系、ナイトライド系又はサルファイド系の蛍光体であり得る。赤色蛍光体は、ナイトライド系又はサルファイド系の蛍光体であり得る。
【０１６２】
蛍光層１２００の内側面のうち、蛍光面１２５０が形成された部分を除いた残りの部分は、光反射物質からなり得る。したがって、前記残り部分に光源モジュール部１４００から放出された光が入射されれば、前記光を反射させることができる。前記残りの部分の反射率は７０％以上であり得る。
【０１６３】
蛍光面１２５０は、図１２及び図１６に示されたように、四角形の形状を有し得る。これは一つの例示であって、蛍光面１２５０の形状は場合によって様々に変形が可能であり、四角形に限定される訳ではない。
【０１６４】
また、蛍光面１２５０は、図１２及び図１６に示されたように、４つに分離して形成され得る。これは一つの例示であって、蛍光面１２５０の個数は場合によって様々に変形が可能である。
【０１６５】
また、蛍光面１２５０は、図１２に示されたように、蛍光面１２５０の最大直径は、隣り合う二つの蛍光面１２５０の間の距離と類似し得る。これは一つの例示であって、蛍光層１２００の内側面の全体面積に対する蛍光面１２５０の面積の比率は、場合によって様々に変形が可能である。
【０１６６】
また、蛍光面１２５０は、図１２に示されたように、左右対称及び上下対称に形成され得る。これは一つの例示であって、蛍光面１２５０は、場合によって偏向するように形成され得る。ただし、図１２に示されたように、蛍光面１２５０が対称的に形成されれば、さらに他の実施形態による照明装置から放出される光が均等に見える。
【０１６７】
また、蛍光面１２５０は、反射層１３００の穿孔１３５０と対応する位置に配置され得る。蛍光面１２５０と穿孔１３５０は同一の大きさ及び形状であり得る。これは一つの例示であって、蛍光面１２５０と穿孔１３５０は、場合によって位置と面積を異にして形成され得る。
【０１６８】
蛍光面１２５０は、蛍光層１２００の内側面の一部に形成され、部分によって単位面積当たりに含まれる蛍光体の含量比又は配合比が変わるように形成することができる。すなわち、前記蛍光面１２５０に含まれる蛍光体の含量比又は配合比が、前記蛍光面１２５０の一側から別の一側方向に行くほど変わり得る。
【０１６９】
反射層１３００又は蛍光層１２００は、所定の点又は所定の軸を中心として回転することができる。例えば、反射層１３００又は蛍光層１２００は、本体部１０００の中心点と光源モジュール部１４００の中心点をつなぐ直線を軸として回転することができる。すなわち、反射層１３００又は蛍光層１２００は、図１２に示された中心軸２００を中心として回転することができる。
【０１７０】
反射層１３００及び蛍光層１２００は共に回転が可能なように構成され得る。又は、反射層１３００と蛍光層１２００のいずれか一つは固定され、他の一つは回転が可能なように構成されてもよい。又は、反射層１３００及び蛍光層１２００が共に回転せず、固定されるように構成されてもよい。
【０１７１】
反射層１３００と蛍光層１２００のうち、少なくとも一つ以上が回転が可能なように構成された場合を仮定することにする。例えば、蛍光層１２００は固定され、反射層１３００は回転が可能なように構成された場合を仮定する。反射層１３００が回転した程度によって、穿孔１３５０を介して光源モジュール部１４００から放出される光に露出する蛍光層１２００の内側面の部分が変わり得る。言い換えれば、反射層１３００が回転した程度によって、蛍光層１２００の内側面のうち蛍光面１２５０が形成された部分が、穿孔１３５０を介して光源モジュール部１４００から放出される光に露出されてもよく、蛍光面１２５０が形成されない残りの部分が、穿孔１３５０を介して光源モジュール部１４００から放出される光に露出されてもよい。また、蛍光面１２５０が形成された部分のうちの一部と、蛍光面１２５０が形成されない残りの部分のうちの一部とが、共に穿孔１３５０を介して光源モジュール部１４００から放出される光に露出されてもよい。
【０１７２】
図１０においては、蛍光面１２５０が光源モジュール部１４００から放出される光に露出するように反射層１３００又は蛍光層１２００が回転した場合が図示されている。図１７においては、蛍光面１２５０が光源モジュール部１４００から放出される光に露出しないように反射層１３００又は蛍光層１２００が回転した場合が図示されている。図１１においては、蛍光面１２５０が形成された部分のうちの一部と、蛍光面１２５０が形成されない残りの部分のうちの一部とが、共に光源モジュール部１４００から放出される光に露出するように反射層１３００又は蛍光層１２００が回転した場合が図示されている。
【０１７３】
このような実施形態は、反射層１３００又は蛍光層１２００の回転が可能なように構成して、回転の程度によって穿孔１３５０を介して蛍光面１２５０が露出する面積を調節することができる。露出する蛍光面１２５０の面積が広くなるほど、蛍光面１２５０に含まれる蛍光体を介して励起され放出される光の比率が高くなり得る。反対に、露出する蛍光面１２５０の面積が狭くなるほど、励起され放出される光の比率が低くなり得る。
【０１７４】
また、蛍光層１２００に形成された蛍光面１２５０の部分によって、単位面積当たりに含まれる蛍光体の含量又は配合が変わるように構成すれば、蛍光層１２００又は反射層１３００の回転の程度によって、前記蛍光層１２００の内側面のうち、穿孔１３５０を介して露出する蛍光面１２５０に含まれる蛍光体の含量又は配合を調節することができる。
【０１７５】
したがって、このような照明装置は、放出される光の色温度を反射層１３００又は蛍光層１２００の回転で容易に調節することができる。また、放出される光の演色指数を、反射層１３００又は蛍光層１２００の回転で容易に調節することができる。
【０１７６】
以下では、蛍光面１２５０の露出の程度に伴う照明装置から放出される光の色温度の変移及び光速変移の程度に対し、添付された図面を参照して詳細に説明することにする。
【０１７７】
図１８は、反射層１３００の内側面の全体面積に対する露出した蛍光面１２５０の面積の比率に伴う色温度の変移の実験結果を示した二次元グラフであり、図１９は、反射層１３００の内側面の全体面積に対する露出した蛍光面１２５０の面積の比率に伴う光速変移の実験結果を示した二次元グラフである。
【０１７８】
実験では、光源として５４５０ＰＫＧが使用された。５４５０ＰＫＧは、４５０ｎｍの波長を有する青色ＬＥＤチップと５５０ｎｍの波長を有するシリケート系の緑色蛍光体とを含む。５４５０ＰＫＧから放出される光の色温度は約５０００Ｋであり、演色指数は約７０である。
【０１７９】
また、実験では、蛍光面１２５０が緑色蛍光体と赤色蛍光体を含むようにした。また、蛍光層１２００に形成された蛍光面１２５０の面積、反射層１３００に形成された穿孔１３５０の面積、及び反射層１３００又は蛍光層１２００の回転の程度に変化を与えて、反射層１３００の内側面の全体面積に対する露出した蛍光面１２５０の面積の比率（以下、「面積比」という）が０％ないし１００％の範囲で変わるようにした。
【０１８０】
図１８を参照すると、横軸は面積比（ＡＲＥＡ ＲＡＴＩＯ）を表わし、縦軸は面積比が０％である時を基準とした色温度（ＣＯＬＯＲ ＴＥＭＰＥＲＡＴＵＲＥ）の変移量を表わす。面積比が増加するほど色温度の変移量が増加する。面積比が１００％である時、色温度が２６０Ｋ程度減少して暖かい白色（ｗａｒｍ ｗｈｉｔｅ）側に移動する。蛍光面１２５０に含まれる蛍光体の配合比を調節すれば、最大１０００Ｋ程度の色温度の変移が起こり得る。
【０１８１】
また、演色指数を測定した結果、７０から約８５程度まで増加した。蛍光面１２５０に含まれる蛍光体の配合比を調節すれば、最大で９０以上まで増加し得る。
【０１８２】
図１９を参照すると、横軸は面積比（ＡＲＥＡ ＲＡＴＩＯ）を表わし、縦軸は面積比が０％である時を基準とした光速（ＬＩＧＨＴ ＳＰＥＥＤ）の変移量を表わす。面積比が増加するほど光速が増加し、面積比が５０％ないし６０％の範囲で光速が最大値を有し、以降では面積比が増加するほど光速が減少する。すなわち、面積比が非常に大きければ、照明装置の内部における反射率が低下し、照明装置から放出される光の光速低下が発生し得る。
【０１８３】
以上で、実施形態を中心に説明したが、これはただ例示にすぎず、本発明を限定する訳ではなく、本発明が属する技術分野の通常の知識を有する者であれば、本実施形態の本質的な特性を外れない範囲で、以上に例示されない様々な変形や応用が可能であることが分かるはずである。例えば、実施形態に具体的に示された各構成要素は、変形して実施することができるものである。そして、このような変形と応用に関係した相違点は、添付された請求の範囲で規定する本発明の範囲に含まれるものと解釈されるべきである。
【図１】
2014526790.tif 000003
【図２】
2014526790.tif 000004
【図３】
2014526790.tif 000005
【図４】
2014526790.tif 000006
【図５】
2014526790.tif 000007
【図６】
2014526790.tif 000008
【図７】
2014526790.tif 000009
【図８】
2014526790.tif 000010
【図９】
2014526790.tif 000011
【図１０】
2014526790.tif 000012
【図１１】
2014526790.tif 000013
【図１２】
2014526790.tif 000014
【図１３】
2014526790.tif 000015
【図１４】
2014526790.tif 000016
【図１５】
2014526790.tif 000017
【図１６】
2014526790.tif 000018
【図１７】
2014526790.tif 000019
【図１８】
2014526790.tif 000020
【図１９】
2014526790.tif 000021
【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
発光素子と、
前記発光素子の上に配置され、前記発光素子から放出された光によって励起された励起光を放出する光励起部と、
を含み、
前記光励起部は、黄色蛍光体、緑色蛍光体及び赤色蛍光体のうち少なくとも一つ以上を有し、
前記光励起部は前記発光素子の上を移動し、前記光励起部の移動に伴って前記光励起部から放出される光の色温度が可変する、照明装置。
【請求項２】
前記光励起部は、複数の孔を有する一つの板であり、
前記複数の孔の間の間隔は、前記板の一側から別の一側に行くほど狭くなるか、あるいは、広くなる、請求項１に記載の照明装置。
【請求項３】
前記光励起部は一つの板であり、
前記光励起板は、一側から別の一側方向に行くほど厚さが減少又は増加する、請求項１に記載の照明装置。
【請求項４】
前記光励起部は複数の板を含み、
前記複数の板のそれぞれは、複数の孔を有し、
前記複数の板のそれぞれに含まれた前記孔の個数は、互いに異なる、請求項１ないし３のいずれか１項に記載の照明装置。
【請求項５】
前記光励起部は複数の板を有し、
前記複数の板は、前記光励起部の移動に伴って前記発光素子の上に配置され、
前記複数の板は、前記黄色蛍光体、前記緑色蛍光体及び前記赤色蛍光体のうち少なくとも一つ以上を含み、
前記複数の板のそれぞれに含まれた前記黄色蛍光体、前記緑色蛍光体及び前記赤色蛍光体の含量比は、前記複数の板ごとに互いに異なる、請求項１ないし３のいずれか１項に記載の照明装置。
【請求項６】
前記光励起部は複数の板を含み、
前記複数の光励起板のそれぞれの厚さは互いに異なる、請求項１ないし３のいずれか１項に記載の照明装置。
【請求項７】
前記発光素子が配置され、前記発光素子からの熱を放熱して、結合溝を有する本体部と、
前記光励起部が配置され、前記本体部の結合溝と結合する結合部を有して、前記本体部の結合溝に沿って回転するカバー部と、
を含む、請求項１ないし６のいずれか１項に記載の照明装置。
【請求項８】
前記発光素子を取り囲み、前記本体部と前記光励起部との間に配置された反射部をさらに含む、請求項７に記載の照明装置。
【請求項９】
前記本体部は、前記発光素子が配置されるリセスを有し、
前記リセスの側面は反射面である、請求項７又は８に記載の照明装置。
【請求項１０】
前記発光素子は、第１軸上に配置され、
前記カバー部は、少なくとも２以上の孔を有し、前記第１軸と平行した第２軸を基準として回転する、請求項７ないし９のいずれか１項に記載の照明装置。
【請求項１１】
本体部と、
前記本体部に配置された発光素子と、
前記発光素子の上に配置された拡散板と、
を含み、
前記本体部は、前記本体部の内部に配置されて前記発光素子の周囲を取り囲む反射層と、前記反射層と前記本体部との間に配置された蛍光層とを含み、
前記蛍光層は、少なくとも一つ以上の蛍光体を含む蛍光面を有し、
前記反射層は、前記蛍光面と対応する穿孔を有し、
前記蛍光層と前記反射層のうち少なくとも一つは回転し、前記蛍光層と前記反射層のうち少なくとも一つの回転に伴い、前記拡散板から放出される光の色温度が可変する、照明装置。
【請求項１２】
前記蛍光層と前記反射層のうち少なくとも一つは、前記本体部の中心軸を基準として回転する、請求項１１に記載の照明装置。
【請求項１３】
前記蛍光面と前記穿孔は複数であり、
前記複数の蛍光面は、所定の間隔離隔して配置され、
前記蛍光層と前記反射層のうち少なくとも一つの回転に伴い、前記穿孔を介して露出する前記蛍光面の面積が調節される、請求項１１又は１２に記載の照明装置。
【請求項１４】
前記蛍光面に含まれる蛍光体の含量比又は配合比は、前記蛍光面の一側から別の一側方向に行くほど変わる、請求項１１ないし１３のいずれか１項に記載の照明装置。
【請求項１５】
前記蛍光層の内側面は、光反射面を含む、請求項１１ないし１４のいずれか１項に記載の照明装置。
【請求項１６】
前記穿孔は複数であり、
前記複数の穿孔のうち、前記反射層の第１部分に形成された第１穿孔の個数と前記反射層の第２部分に形成された第２穿孔の個数は、互いに異なる、請求項１１ないし１５のいずれか１項に記載の照明装置。
【国際調査報告】
2014526790.tif 000022
2014526790.tif 000023
2014526790.tif 000024
2014526790.tif 000025